(57)【要約】【課題】本発明は、知恵の輪現象によるロープの外れを防止する効果が高いフックを提供することを課題とする。【解決手段】本発明の一態様は、基端部と、先端部と、上記基端部から上記先端部にかけてＵ字型に湾曲する鉤状部とを有するフックであって、一端が上記基端部に回動可能に支持され、他端が上記先端部に近接し、上記鉤状部の開口部を開閉する外れ止めと、上記外れ止め及び上記基端部の間に配設されるロック部材とを備え、上記ロック部材が、上記外れ止めの他端が上記先端部に近接した状態で上記外れ止めの回動を制止する。上記ロック部材が、上記回動の制止を解除する部材を含むとよい。上記外れ止めが少なくとも天面及び一対の側面を有し、上記外れ止めの他端が上記先端部に近接した状態で、上記外れ止めの他端の天面及び一対の側面が上記先端部を覆うとよい。上記外れ止めの他端が、上記先端部の外側より突出しないとよい。【選択図】図１
2019142717.tif 000002
【特許請求の範囲】
【請求項１】
基端部と、
先端部と、
上記基端部から上記先端部にかけてＵ字型に湾曲する鉤状部と
を有するフックであって、
一端が上記基端部に回動可能に支持され、他端が上記先端部に近接し、上記鉤状部の開口部を開閉する外れ止めと、
上記外れ止め及び上記基端部の間に配設されるロック部材と
を備え、
上記ロック部材が、上記外れ止めの他端が上記先端部に近接した状態で上記外れ止めの回動を制止するフック。
【請求項２】
上記ロック部材が、上記回動の制止を解除する部材を含む請求項１に記載のフック。
【請求項３】
上記外れ止めが少なくとも天面及び一対の側面を有し、上記外れ止めの他端が上記先端部に近接した状態で、上記外れ止めの他端の天面及び一対の側面が上記先端部を覆う請求項１又は請求項２に記載のフック。
【請求項４】
上記外れ止めの他端が、上記先端部の外側より突出しない請求項１、請求項２又は請求項３に記載のフック。
【請求項５】
上記外れ止めの他端が、上記先端部の内面に係合する凹部を有する請求項１から請求項４のいずれか１項に記載のフック。
【請求項６】
上記外れ止めの他端が上記先端部に近接した状態で、上記外れ止めへの貫通により上記外れ止めを上記基端部に固定し、その回動を制止可能とする貫通ピンをさらに備える請求項１から請求項５のいずれか１項に記載のフック。
【請求項７】
上記外れ止めが上記貫通ピンを収納可能に構成される請求項６に記載のフック。
【発明の詳細な説明】
【技術分野】
【０００１】
本発明は、フックに関する。
【背景技術】
【０００２】
クレーン等のフックとしては、フックの基端部に回動可能に支持され、その先端がフック本体の先端側の内縁に押し当てられるよう付勢される外れ止めを有するものが知られている。
【０００３】
しかしながら、このような外れ止めを有するフックを使用しても、フックの中に通したロープがたるんでフックの中から延びる部分が外れ止めの上側に折り返された状態となり、この状態でロープに荷重が加わることで、ロープがフックを押し開いてフックから外れてしまうことがある。このようなメカニズムによるロープの外れは、一般的に「知恵の輪現象」又は「背抜け現象」と呼ばれており、重大事故を引き起こし得る危険な事象として認知されている。より具体的には、吊り荷の一部を着地した場合に玉掛けワイヤロープのアイがねじれてフックの外れ止めの上側に移動してしまうことで、外れ止めを押し下げて脱落する事故が報告されている。
【０００４】
このような知恵の輪現象によるロープの外れを防止するために、例えば特開２００１−２５３６７９号公報には、外れ止め（主外れ止め）と同軸に枢支され、フック本体の先端又は先端部の外縁に自重又はばね力により当接する外れ防止具（副外れ止め）を設けたフックが提案されている。
【先行技術文献】
【特許文献】
【０００５】
【特許文献１】特開２００１−２５３６７９号公報
【発明の概要】
【発明が解決しようとする課題】
【０００６】
上記公報に記載のフックは、外れ防止具の先端がフックの先端部の外側に突出するため、この外れ防止具の突出部分をロープが持ち上げて外れ防止具を押し開いて主外れ止めの上にロープが入り込んだ状態となり、ロープがフックから外れてしまうことがある。つまり、上記公報に記載のフックでも、知恵の輪現象によるロープの外れを完全に防止することができない。
【０００７】
上記不都合に鑑みて、本発明は、知恵の輪現象によるロープの外れを防止する効果が高いフックを提供することを課題とする。
【課題を解決するための手段】
【０００８】
上記課題を解決するためになされた本発明の一態様は、基端部と、先端部と、上記基端部から上記先端部にかけてＵ字型に湾曲する鉤状部とを有するフックであって、一端が上記基端部に回動可能に支持され、他端が上記先端部に近接し、上記鉤状部の開口部を開閉する外れ止めと、上記外れ止め及び上記基端部の間に配設されるロック部材とを備え、上記ロック部材が、上記外れ止めの他端が上記先端部に近接した状態で上記外れ止めの回動を制止する。
【０００９】
当該フックには、外れ止めとロック部材とが備えられている。上記ロック部材は、上記外れ止めの他端がフックの先端部に近接した状態になると、上記外れ止めの回動を制止する。従って、フックの外部にあるワイヤロープがフック内部に進入することが防止されるため、知恵の輪現象を防止することができる。
【００１０】
上記ロック部材が、上記回動の制止を解除する部材を含むとよい。上記解除する部材により上記外れ止めの回動を可能にすることが容易にできるため、フック内部に掛けた玉掛けワイヤロープ等をフックから取り外すことが容易にできる。
【００１１】
上記外れ止めが少なくとも天面及び一対の側面を有し、上記外れ止めの他端が上記先端部に近接した状態で、上記外れ止めの他端の天面及び一対の側面が上記先端部を覆うとよい。上記外れ止めの他端がフックの先端部に近接した状態で、上記他端が上記先端部を覆うことにより、上記外れ止めの横荷重に対する強度を向上することができる。
【００１２】
上記外れ止めの他端が、上記先端部の外側より突出しないとよい。上記外れ止めの他端が、フックの先端部の外側より突出しないことにより、フックの外部にあるワイヤロープが上記外れ止めの他端を持ち上げることを防止することができるため、知恵の輪現象をより確実に防止することができる。
【００１３】
上記外れ止めの他端が、上記先端部の内面に係合する凹部を有するとよい。外れ止めの他端が、フック先端部の内面に係合する凹部を有することにより、外れ止めの横荷重に対する強度をより向上することができる。
【００１４】
上記外れ止めの他端が上記先端部に近接した状態で、上記外れ止めの他端が上記先端部に近接した状態で、上記外れ止めへの貫通により上記外れ止めを上記基端部に固定し、その回動を制止可能とする貫通ピンをさらに備えるとよい。このように上記外れ止めへの貫通により上記外れ止めの回動を制止可能な貫通ピンをさらに備えることで、上記ロック部材に不具合が生じた場合においても、上記貫通ピンにより外れ止めの回動を制止することで知恵の輪現象の発生を抑止できる。
【００１５】
上記外れ止めが上記貫通ピンを収納可能に構成されるとよい。このように上記外れ止めを上記貫通ピンが収納可能に構成することで、上記ロック部材が正常に機能している場合には貫通ピンがフックを用いる作業の障害となることを抑止でき、かつ上記ロック部材に不具合が生じた場合には、貫通ピンを速やかに取り出し使用することで知恵の輪現象の発生を抑止できる。従って、当該フックの作業効率を高められる。
【発明の効果】
【００１６】
以上のように、本発明の一態様に係るフックは、知恵の輪現象によるロープの外れを防止する効果が高い。
【図面の簡単な説明】
【００１７】
【図１】本発明の一実施形態のフックを示す模式的側面図である。
【図２】図１の外れ止めの裏面を示す模式的背面図である。
【図３】図２のＡ−Ａ断面を示す模式的断面図である。
【図４】図２の外れ止めにロック部材が配置された状態を示す模式的側面図である。
【図５】図４のロック部材が配置された外れ止めの下面を示す模式的底面図である。
【図６】図４，５のロック部材がアームと係合する前の状態を示す概略図である。
【図７】図４，５のロック部材がアームと係合した後の状態を示す概略図である。
【図８】図１とは異なる実施形態に係るフックを示す模式的側面図である。
【図９】図８のフックのベース及び外れ止めに貫通ピンを挿通した状態を示す模式的斜視図である。
【図１０】図８のフックのベース及び外れ止めに貫通ピンを挿通した状態を示す模式的正面図である。
【図１１】図８のフックで貫通ピンを外れ止めに収納した状態を示す模式的背面図である。
【図１２】図１１のＢ−Ｂ断面を示す模式的断面図である。
【発明を実施するための形態】
【００１８】
〔第１実施形態〕
以下、適宜図面を参照しつつ、本発明の第１の実施の形態を詳説する。
【００１９】
［フック］
本発明の一実施形態に係るフック１は、図１、図２に示すように、建設機械の作業アタッチメントを構成するアームの先端に接続される基端部２と、この基端部２と一体で形成される鉤状部３と、鉤状部３の基端部２とは反対側に一体で形成される先端部４とを有する。具体的には、基端部２は、クレーン等に備えられたウインチから繰り出されるワイヤロープ等の先端に接続される。鉤状部３は、先端部４が基端部２側に向くように基端部２から先端部４にかけてＵ字型に湾曲し、玉掛けワイヤロープや吊り環等を掛ける部分を形成すると共に、先端部４と基端部２との間にフック１の開口部を形成する。先端部４は終端に向かって先細りに形成される。図１では、先端部４が終端に向かって基端部２からの距離を増大しているが、先端部４の終端は、基端部２と並行で略垂直に形成されてもよいし、基端部２からの距離を減小するように形成されてもよい。
【００２０】
フック１は、上記開口部を開閉する外れ止め５と、フック１の基端部２に配置されるベース１１とを備える。また、フック１は、基端部２にベースピン６を挿通する貫通孔を含むリブ７を有する。
【００２１】
＜外れ止め＞
外れ止め５は、一端が基端部２に回動可能に支持され、他端が先端部４に近接し、鉤状部３の開口部を開閉する。本実施形態では、外れ止め５は、天面８及び一対の側面９を有し、一対の側面９の一端側に外れ止め回転軸１０を挿通する貫通孔を有する。
【００２２】
本実施形態では、外れ止め５は、ベース１１を介して基端部２に回動可能に支持される。具体的には、ベース１１は、ベースピン６を挿通する貫通孔を有し、この貫通孔及びフック１のリブ７に設けられる貫通孔にベースピン６を挿通することで、ベース１１がフック１の基端部２に配置される。ベース１１は、上端部に外れ止め回転軸１０を挿通する貫通孔をさらに有する。外れ止め回転軸１０は、外れ止め５の一対の側面９の一端側に設けられる貫通孔と、ベース１１の外れ止め回転軸１０を挿通する貫通孔とを挿通し、外れ止め５がベース１１に回動自在に支持される。このようにベースピン６に対して、外れ止め回転軸１０が上方に位置することで、外れ止め５がフック１の基端部２に取り付けられた際に、外れ止め５の傾斜を大きくすることができる。具体的には、外れ止め５の一端から他端に向けての勾配がきつくなり、フック１の外部のワイヤロープが外れ止め５に乗り掛かる（引っ掛かる）ことを防止することができる。
【００２３】
外れ止め５の他端は、フック１の先端部４の外側（外縁）より突出しないことが好ましい。具体的には、外れ止め５の他端と、フック１の先端部４の頂点とが一致するように外れ止め５が配置されるか、又は、外れ止め５の他端が、フック１の先端部４の頂点近傍であって先端部４の内側（内縁）に近接されるように配置される。このように配置されることで、フック１の外部のワイヤロープが外れ止め５の他端側の先端を持ち上げることを防止することができる。
【００２４】
外れ止め５の他端が先端部４に近接した状態で、天面８及び一対の側面９の他端は、フック１の先端部４を覆うことが好ましい。外れ止め５の他端側で一対の側面９が、フック１の先端部４を覆うように形成されることで、外れ止め５の横荷重に対する強度を向上することができると共に、フック１外部のワイヤロープがフック１内部に進入することをより効果的に防止することができる。
【００２５】
外れ止め５の他端はフック１の先端部４に近接するため、先端部４に係合するための凹部１２を有することが好ましい。この凹部１２がフック１の先端部４に係合することで、外れ止め５の横荷重に対する強度をより向上することができる。なお、「近接」とは、外れ止め５の他端がフック１の先端部４に当接することが好ましいものの、先端部４から僅かに離間する状態となり得ることを企図している。
【００２６】
外れ止め５は、図２に示すように、天面８の裏面、すなわち、外れ止め５をフック１に取り付けた際に、フック１の基端部２側に向く面に、後述するロック部材１３を配置するためのプレート１４を有する。プレート１４は、外れ止め５と一体で形成されてもよいし、別体で形成され、溶接、ボルト等、公知の方法で接合されてもよい。プレート１４は、図３に示すように、一部がフック１の基端部２に向かって略水平となるよう、傾斜面を有する。プレート１４は、本実施形態のような板状に限定されず、外れ止め５に配置され、かつロック部材１３を載置可能な構成とすることができ、例えば、直方体状や三角錐状等の立体形状とすることもできる。
【００２７】
フック１は、外れ止め５の他端をフック１の先端部４の上方に回動させることでフック１を開口させ、この開口に玉掛けワイヤロープや吊り環等を進入させてフック１内部に掛けることができる。
【００２８】
＜ベース＞
ベース１１は、フック１のリブ７に取り付けられ、外れ止め５を回動自在に支持する。また、ベース１１は、ロック部材１３と係合するアーム１５を有する。アーム１５は、ベース１１と一体で形成されてもよいし、別体で形成され、溶接、ボルト等、公知の方法で接合されてもよい。アーム１５は、上部及び下部が略水平で、中央部が略垂直に形成される略Ｕ字型の棒状部材であり、この中央部（垂直部分）にロック部材１３が係合する。ロック部材１３及びアーム１５は、係合するときに適切な位置関係になっていることが好ましい。本実施形態では、外れ止め５の他端がフック１のフック１の先端部４に近接する際に、プレート１４の傾斜部分に配置されるロック部材１３が略水平となり、アーム１５の垂直部分に係合するように、ロック部材１３及びアーム１５が配置される。アーム１５の上部及び下部の端部は、フック１の基端部２に近接することが好ましい。アーム１５の上部及び下部の端部がフック１の基端部２に近接しない場合、フック１の外部のワイヤロープが上記端部と基端部２との間に引っ掛かり、アーム１５を変形、破損等するおそれがある。
【００２９】
＜ロック部材＞
ロック部材１３は、外れ止め５及び基端部２の間に配設され、外れ止め５の他端が先端部４に近接した状態で外れ止め５の回動を制止する。より具体的には、ロック部材１３は、外れ止め５の天面８の裏面に配置される。外れ止め５の他端がフック１の先端部４に近接すると、ロック部材１３がベース１１のアーム１５に係合し、外れ止め５の回動を制止する。
【００３０】
ロック部材１３は、外れ止め５の回動の制止を解除する部材を含むことが好ましい。すなわち、ロック部材１３とアーム１５との係合を解除する部材を有することが好ましく、これにより、外れ止め５の回動を行うことが容易にできるため、フック１内部に掛けた玉掛けワイヤロープ等をフック１から容易に取り外すことができる。
【００３１】
本実施形態では、ロック部材１３は、図４、図５に示すように、外れ止め５のプレート１４に配置され、回転部材１６、解除部材１７、及び一対の保持部材１８を有する。一対の保持部材１８は、回転部材１６と解除部材１７とを回転自在に挟持する。回転部材１６、解除部材１７、及び一対の保持部材１８は、プレート１４に、ボルト等の公知の接合手段により配置される。なお、ロック部材１３は、図４のようにプレート１４の下面に配置されても良いし、上面に配置されてもよい。また、保持部材１８を１つとし、保持部材１８が回転部材１６と解除部材１７とを片側から保持する構成であってもよい。
【００３２】
ロック部材１３が、外れ止め５の回動を制止する状態を、以下に説明する。図６は、外れ止め５の他端がフック１の先端部４から離隔した状態であり、ロック部材１３と、アーム１５とが離間している。回転部材１６及び解除部材１７は、その一辺にアーム１５を保持する凹部を有する。解除部材１７は凹部を有する一辺と対向する辺に突出部１９を有する。ロック部材１３と、アーム１５とが離間している状態で、回転部材１６及び解除部材１７は、それぞれの凹部がアーム１５に向けられるよう、バネ等の公知の付勢手段により付勢されているとよい。
【００３３】
外れ止め５の他端がフック１の先端部４に近接すると、アーム１５が回転部材１６の凹部に進入すると共に、この凹部を押圧して回転部材１６を回転させる。回転部材１６は、回転することにより解除部材１７を押圧して、回転部材１６の回転方向と逆向きに回転させる。回転部材１６及び解除部材１７のそれぞれの凹部がアーム１５を囲繞するところで、回転部材１６及び解除部材１７の回転が制止され、ロック部材１３とアーム１５とが係合し、外れ止め５の回動が制止される。
【００３４】
外れ止め５の回動の制止の解除は、図７に示すように、解除部材１７の突出部１９を、ロック部材１３とアーム１５とが係合する際の回転方向と逆方向に押圧して回転させ、回転部材１６及び解除部材１７の凹部がアーム１５を解放させることで可能となる。回転部材１６及び解除部材１７の回転の制止、解除は、ラチェット機構等の公知の手段を用いることができる。
【００３５】
＜利点＞
当該フック１は、外れ止め５の他端がフック１の先端部４に近接した状態になると、外れ止め５の回動を制止するロック部材１３を有するので、フック１外部のワイヤロープが外れ止め５を回動させてフック１を開口し、フック１内に進入することを防止できる。従って、知恵の輪現象を効果的に防止することができる。また、外れ止め５の回動の制止を容易に解除することができるため、フック１に掛けられたロープを容易に取り外すことができる。
【００３６】
また、当該フック１は、外れ止め５及びロック部材１３が、ベース１１に配置されるため、予めベース１１に外れ止め５及びロック部材１３を取り付けておけば、ベース１１をフック１の基端部２に取り付けることで当該フック１を完成することができる。このため、当該フック１は、比較的容易に組み立てることができる。また、当該フック１は、既存のフックに既設されている外れ止めに換えて、外れ止め５及びロック部材１３が配置されたベース１１を装着することによって得ることもできる。
【００３７】
〔第２実施形態〕
以下、適宜図面を参照しつつ、本発明の第２の実施の形態を詳説する。
【００３８】
図８に示すフック２０は、基端部２と、先端部４と、基端部２から先端部４にかけてＵ字型に湾曲する鉤状部３とを有するフックである。基端部２、先端部４及び鉤状部３は、図１に示すフック１と同様であるので、詳細説明を省略する。
【００３９】
当該フック２０は、一端が基端部２に回動可能に支持され、他端が先端部４に近接し、鉤状部３の開口部を開閉する外れ止め５と、外れ止め５及び基端部２の間に配設されるロック部材１３とを備える。ロック部材１３は、外れ止め５の他端が先端部４に近接した状態で外れ止め５の回動を制止する。
【００４０】
また、当該フック２０は、フック２０の基端部２に配置されるベース１１を備え、外れ止め５の他端が先端部４に近接した状態で、外れ止め５とベース１１とが側面視で重なり、この重なり部分に外れ止め５及びベース１１を貫通する貫通孔２１を有する。
【００４１】
外れ止め５、ベース１１及びロック部材１３は、上述の貫通孔２１以外の構成については、図１に示すフック１と同様であるので、同一符号を付して詳細説明を省略する。
【００４２】
＜貫通ピン＞
当該フック２０は、図９及び図１０に示すように、外れ止め５の他端が先端部４に近接した状態で、外れ止め５及びベース１１を貫通する貫通孔２１（図８参照）に挿通される貫通ピン２２を備える。ベース１１は、フック２０のリブ７に取り付けられ固定されているので、貫通ピン２２を貫通孔２１に挿通することで外れ止め５を固定できる。つまり、貫通ピン２２は、外れ止め５の他端が先端部４に近接した状態で、外れ止め５への貫通により外れ止め５を基端部２に固定し、その回動を制止可能とする。
【００４３】
貫通ピン２２の形状は特に限定されないが、貫通孔２１に挿通可能な例えば円柱状とできる。貫通ピン２２は、貫通孔２１に挿通し易いようにその先端部が、先端に近づくにつれて細くなることが好ましい。
【００４４】
また、当該フック２０は、図９及び図１０に示すように、貫通ピン２２が脱落することを抑止する抜け止めバネ２３を有することが好ましい。抜け止めバネ２３は、貫通ピン２２の基端部にその一端が固定され、上記一端側にループ状に形成され、他端が貫通ピン２２の先端から離れるように付勢されている。また、抜け止めバネ２３の他端側はＵ字状に形成され、Ｕ字状の開口部が貫通ピン２２の先端部に係合できるように構成されている。
【００４５】
貫通ピン２２により外れ止め５の回動を制止する場合、抜け止めバネ２３のＵ字状の開口部が貫通ピン２２から外れている状態で、貫通ピン２２を貫通孔２１に挿通した後、抜け止めバネ２３のＵ字状の開口部を貫通ピン２２の先端部に係合する。このように抜け止めバネ２３のＵ字状の開口部を貫通ピン２２の先端部に係合することで、貫通ピン２２が貫通孔２１から脱離することを抑止できる。
【００４６】
また、貫通ピン２２による外れ止め５の回動制止を解除する場合は、上述の手順とは逆に抜け止めバネ２３のＵ字状の開口部の貫通ピン２２の先端部への係合を解除した後、貫通ピン２２を貫通孔２１から抜き出すとよい。
【００４７】
この貫通ピン２２は、ロック部材１３と同時に使用することもできるが、作業効率の観点からロック部材１３が正常に機能している場合には使用せず、ロック部材１３に不具合が生じた場合に外れ止め５の回動を制止する手段として使用することが好ましい。この場合、ロック部材１３が正常に機能している限りにおいては、貫通ピン２２は貫通孔２１から取り外されている。
【００４８】
このように貫通孔２１から取り外された貫通ピン２２を保管するため、外れ止め５が貫通ピン２２を収納可能に構成されるとよい。このように外れ止め５を貫通ピン２２が収納可能に構成することで、ロック部材１３が正常に機能している場合には貫通ピン２２がフック２０を用いる作業の障害となることを抑止でき、かつロック部材１３に不具合が生じた場合には、貫通ピン２２を速やかに取り出し使用することで知恵の輪現象の発生を抑止できる。従って、フック２０による作業効率を高められる。同様に外れ止め５は抜け止めバネ２３についても収納可能に構成されるとよい。
【００４９】
貫通ピン２２を外れ止め５に収納可能とする構成は、特に限定されないが、例えば図１１及び図１２に示すように、外れ止め５の天面８とプレート１４との間に空隙を設け、この空隙に貫通ピン２２を差し込むことで収納する構成を挙げることができる。
【００５０】
貫通ピン２２を外れ止め５に収納する際、抜け止めバネ２３の付勢力により、外れ止め５の一対の側面９間に貫通ピン２２を固定することで、貫通ピン２２が外れ止め５から滑り落ちることを抑止することもできるが、図１１及び図１２に示すように、外れ止め５の他端側（凹部１２が設けられている側）に落下防止板２４を設け、貫通ピン２２の先端を落下防止板２４に当接させることで、貫通ピン２２が外れ止め５から滑り落ちることを抑止してもよい。
【００５１】
＜利点＞
当該フック２０は、外れ止め５への貫通により外れ止め５の回動を制止可能な貫通ピン２２をさらに備えることで、ロック部材１３に不具合が生じた場合においても、貫通ピン２２により外れ止め５の回動を制止することで知恵の輪現象の発生を抑止できる。
【００５２】
［その他の実施形態］
上記実施形態は、本発明の構成を限定するものではない。従って、上記実施形態は、本明細書の記載及び技術常識に基づいて上記実施形態各部の構成要素の省略、置換又は追加が可能であり、それらは全て本発明の範囲に属するものと解釈されるべきである。
【００５３】
当該フックは、クレーンのワイヤロープに取り付けられるものに限られず、例えばチェーンブロックの荷鎖の先端に取り付けられるもの等、他の吊り挙げ装置の吊り具として用いられてもよい。
【００５４】
当該フックは、基端部から逆方向に２つの鉤状部及び先端部を有し、側面視Ｗ字状に形成されるいわゆる両かぎフックであってもよく、その２つのフックのどちらか一方又は両方に、上述した外れ止め及びロック部材が取り付けられてもよい。
【００５５】
本実施形態では、ベースピンが、ベースをフックのリブに固定し、外れ止め回転軸が、外れ止めをベースに回動自在に支持される構成で説明したが、１つのシャフト（軸）が、ベースの固定及び外れ止めの支持をする構成とすることも可能である。
【００５６】
本実施形態では、外れ止めがロック部材を有し、ベースがアームを有する構成で説明したが、外れ止めがアームを有し、ベースがロック部材を有するとすることもできる。
【００５７】
本実施形態では、ロック部材とアームとにより外れ止めの回動を制止する構成で説明したが、外れ止めの他端がフックの先端部に近接すると同時に、外れ止めの回動を制止することができるロック機構であれば、これに限られない。
【００５８】
本実施形態では、外れ止めが天面及び一対の側面を有する場合を説明したが、外れ止めの構成はこれに限定されない。例えば外れ止めは天面及び一対の側面に加えて裏面を有してもよいし、外れ止めを中実の棒状とすることもできる。
【産業上の利用可能性】
【００５９】
本発明は、クレーン用の吊り具として特に好適に利用することができる。
【符号の説明】
【００６０】
１  フック
２  基端部
３  鉤状部
４  先端部
５  外れ止め
６  ベースピン
７  リブ
８  天面
９  側面
１０  外れ止め回転軸
１１  ベース
１２  凹部
１３  ロック部材
１４  プレート
１５  アーム
１６  回転部材
１７  解除部材
１８  保持部材
１９  突出部
２０  フック
２１  貫通孔
２２  貫通ピン
２３  抜け止めバネ
２４  落下防止板
【図１】
2019142717.tif 000003
【図２】
2019142717.tif 000004
【図３】
2019142717.tif 000005
【図４】
2019142717.tif 000006
【図５】
2019142717.tif 000007
【図６】
2019142717.tif 000008
【図７】
2019142717.tif 000009
【図８】
2019142717.tif 000010
【図９】
2019142717.tif 000011
【図１０】
2019142717.tif 000012
【図１１】
2019142717.tif 000013
【図１２】
2019142717.tif 000014